(57)【要約】【課題】  オキアミ等の冷凍ないしは半解凍状態にある餌の突き崩しを容易に行うことができるとともに、突き崩した餌と配合餌との撹拌・混合も容易に行うことができる釣り用餌の撹拌具を提供することを課題とする。【解決手段】  柄と；柄に対して回転軸心が柄の軸と直交する方向に取り付けられる回転軸体と；回転軸体をその回転軸心の周りに回転自在に支承する軸受部を備えた撹拌板と；撹拌板の回転軸体に対する回転位置を、撹拌板と柄の軸との間の角度が略１８０度となる位置で固定となる固定位置と、撹拌板と柄の軸との間の角度が鋭角となる押し込み位置と押し込み位置よりも大きな角度となる撹拌位置との間で回転自在となる回転自在位置とに、選択的に切り換えて規制する手段とを有している、釣り用餌の撹拌具を提供することによって上記の課題を解決する。【選択図】  図１
0003130479.tif 000002
【実用新案登録請求の範囲】
【請求項１】
柄と；柄に対してその軸心が柄の軸と直交する方向に取り付けられる回転軸体と；回転軸体をその軸心の周りに回転自在に支承する軸受部を備えた撹拌板と；撹拌板の回転軸体に対する回転位置を、撹拌板と柄の軸との間の角度が略１８０度となる位置で固定となる固定位置と、撹拌板と柄の軸との間の角度が鋭角となる押し込み位置と押し込み位置よりも大きな角度となる撹拌位置との間で回転自在となる回転自在位置とに、選択的に切り換えて規制する位置規制手段とを有している、釣り用餌の撹拌具。
【請求項２】
位置規制手段が、回転軸体または軸受部に設けられた第１および第２の回転規制部であって、固定位置に対応した第１の回転規制部と、回転自在位置に対応した第２の回転規制部と、これら第１または第２の回転規制部のいずれかと選択的に当接して、軸受部と回転軸体との相対的な回転位置を規制する、軸受部または回転軸体における当接部材とから構成されている請求項１記載の釣り用餌の撹拌具。
【請求項３】
第１の回転規制部が、軸受部に設けられた貫通孔であり、その貫通孔の回転軸体の円周方向における位置と長さは、その貫通孔に当接部材を貫通させて回転軸体に取り付けたときに、撹拌板の回転軸体に対する回転位置を、撹拌板と柄の軸との間の角度が略１８０度となる位置で固定に規制する位置と長さであり、第２の回転規制部が、同じく軸受部に設けられた貫通孔であり、その貫通孔の回転軸体の円周方向における位置と長さは、その貫通孔に当接部材を貫通させて回転軸体に取り付けたときに、撹拌板の回転軸体に対する回転位置を、撹拌板と柄の軸との間の角度が鋭角となる押し込み位置と押し込み位置よりも大きな角度となる撹拌位置との間で回転自在に規制する位置と長さであり、当接部材が、これら第１または第２の貫通孔を貫通して回転軸体に着脱自在に取り付けられ、回転軸体に取り付けられたときに、貫通している第１または第２の貫通孔の内周面のそれぞれと当接する部分を有している請求項２記載の釣り用餌の撹拌具。
【請求項４】
柄が、軸受部に設けられた第１または第２の貫通孔を貫通して回転軸体に着脱自在に取り付けられる先端を備えており、当接部材を兼ねている請求項２または３記載の釣り用餌の撹拌具。
【請求項５】
第１の貫通孔と第２の貫通孔とを互いに連通させる貫通孔であって、当接部材が通過できる大きさの貫通孔が軸受部に設けられている請求項３または４記載の釣り用餌の撹拌具。
【請求項６】
第１および第２の貫通孔が切り欠きである請求項３または４記載の釣り用餌の撹拌具。
【請求項７】
第１の回転規制部が、回転軸体に設けられた凹部であり、その凹部の回転軸体の円周方向における位置と長さは、その凹部に当接部材が係合したときに、撹拌板の回転軸体に対する回転位置を、撹拌板と柄の軸との間の角度が略１８０度となる位置で固定に規制する位置と長さであり、第２の回転規制部が、同じく回転軸体に設けられた凹部であり、その凹部の回転軸体の円周方向における位置と長さは、その凹部に当接部材が係合したときに、撹拌板の回転軸体に対する回転位置を、撹拌板と柄の軸との間の角度が鋭角となる押し込み位置と押し込み位置よりも大きな角度となる撹拌位置との間で回転自在に規制する位置と長さであり、当接部材が、回転軸体に向かって進退自在に軸受部に取り付けられ、回転軸体に向かって進行したときに、上記第１および第２の回転規制部である凹部のいずれかと選択的に係合する部分を有している請求項２記載の釣り用餌の撹拌具。
【請求項８】
柄が、回転軸体に向かって進退自在に軸受部に取り付けられ、回転軸体に向かって進行したときに、第１および第２の回転規制部である凹部のいずれかと選択的に係合する先端を備えており、当接部材を兼ねている請求項７記載の釣り用餌の撹拌具。
【請求項９】
押し込み位置における撹拌板と柄の軸との間の角度が０度〜４５度の範囲にある請求項１〜８のいずれかに記載の釣り用餌の撹拌具。
【請求項１０】
撹拌位置における撹拌板と柄の軸との間の角度が６０度〜１２０度の範囲にある請求項１〜９のいずれかに記載の釣り用餌の撹拌具。
【請求項１１】
撹拌板が、撹拌板と柄の軸との間の角度が略０度の位置にあるときに柄とは反対側となる方向に軸受部よりも突出する突片部を有している請求項１〜１０のいずれかに記載の釣り用餌の撹拌具。
【考案の詳細な説明】
【技術分野】
【０００１】
本考案は、釣り用餌の撹拌具に関し、詳細には、オキアミ等の冷凍ないしは半解凍状態にある餌の突き崩しが容易に行えるとともに、突き崩した餌と配合餌との撹拌・混合も容易に行うことができる釣り用餌の撹拌具に関する。
【背景技術】
【０００２】
魚釣りにおいては、集魚の目的で撒き餌が行われることが多い。撒き餌は、通常、オキアミなどの釣り用餌と、集魚剤などを含んだ配合餌とを混合することによって、使用時に、釣り場において製造される。しかしながら、オキアミは品質保持の観点から冷凍されてブロック状になっており、これを配合餌と混合するには、まず、冷凍状態にあるオキアミの塊を解凍して突き崩し、次いで、これを配合餌と混合・撹拌する操作が必要になる。
【０００３】
従来、上記の操作を行うための道具として、種々のものが提案されている。例えば、特許文献１においては、撹拌板と、この撹拌板の基端部に折り曲げ可能に軸支された柄と、柄を撹拌板の面方向に対しほぼ平行状態およびほぼ直角状態で固定可能なストッパ機構とを備えた釣り用餌の撹拌具が提案されており、この釣り用餌の撹拌具によれば、冷凍または半解凍状態にある釣り用餌を突き崩すときには、撹拌板を柄に対してほぼ平行状態に固定して撹拌板の先端部で釣り用餌を切るようにして突き崩し、一方、軟化した釣り用餌と配合餌とを撹拌・混合するときには、撹拌板を柄に対してほぼ直角状態で固定し、釣り用餌と配合餌とを撹拌・混合することによって、撒き餌材料の突き崩しと撹拌、混合とを一つの道具によって行うことができるものである。同様の提案は、特許文献２〜４においても行われており、これらはいずれも、撹拌板を、柄に対して、平行状態または直角状態に切り換えて固定可能とすることによって、一つの道具によって、冷凍または半解凍状態にあるオキアミ等の釣り用餌の突き崩しと、突き崩した釣り用餌と配合餌との撹拌・混合とを行うことを可能にしたものである。
【特許文献１】特開平８−１６８３３１号公報
【特許文献２】特開２０００−２３６７９１号公報
【特許文献３】特開２００１−１３６８８２号公報
【特許文献４】特開２００１−１４８９８５号公報
【０００４】
しかしながら、本考案者が経験したところによれば、これら従来から提案されている釣り用餌の撹拌具においては、混合すべき餌の内部にまで撹拌板を押し込むのが非常に困難であり、釣り用餌と配合餌との混合・撹拌には多大の労力を要するという不都合があった。すなわち、釣り用餌と配合餌とを混合・撹拌するには、これら両者を容器に入れ、釣り用餌の撹拌具を容器底部にまで押し込んで、また引き上げるという作業を繰り返し行うことが必要であるところ、従来の釣り用餌の撹拌具においては、釣り用餌と配合餌との撹拌・混合時には、撹拌板が柄に対してほぼ直角に固定されているので、これを容器底部にまで押し込もうとすると、撹拌板の部分が混合すべき餌から強い抵抗を受けることになり、容器の奥深くにまで押し込むのは容易ではなく、これを引き上げて、再度、押し込むという撹拌・混合作業を繰り返すと、作業者が疲れてしまうという欠点があった。
【考案の開示】
【考案が解決しようとする課題】
【０００５】
本考案は、従来の釣り用餌の撹拌具が有する上記の不都合を解消するために為されたもので、オキアミ等の冷凍ないしは半解凍状態にある餌の突き崩しを容易に行うことができるとともに、突き崩した餌と配合餌との撹拌・混合も容易に行うことができる釣り用餌の撹拌具を提供することを課題とするものである。
【課題を解決するための手段】
【０００６】
本考案は、柄と；柄に対してその軸心が柄の軸と直交する方向に取り付けられる回転軸体と；回転軸体をその軸心の周りに回転自在に支承する軸受部を備えた撹拌板と；撹拌板の回転軸体に対する回転位置を、撹拌板と柄の軸との間の角度が略１８０度となる位置で固定となる固定位置と、撹拌板と柄の軸との間の角度が鋭角となる押し込み位置と押し込み位置よりも大きな角度となる撹拌位置との間で回転自在となる回転自在位置とに、選択的に切り換えて規制する位置規制手段とを有している、釣り用餌の撹拌具を提供することによって、上記の課題を解決するものである。
【０００７】
本考案の好ましい一実施態様においては、撹拌板の回転軸体に対する回転位置を、撹拌板と柄の軸との間の角度が略１８０度となる位置で固定と、撹拌板と柄の軸との間の角度が鋭角となる押し込み位置と押し込み位置よりも大きな角度となる撹拌位置との間で回転自在とに、選択的に切り換えて規制する手段は、回転軸体または軸受部に設けられた第１および第２の回転規制部であって、固定位置に対応した第１の回転規制部と、回転自在位置に対応した第２の回転規制部と、これら第１または第２の回転規制部のいずれかと選択的に当接して、軸受部と回転軸体との相対的な回転位置を規制する、軸受部または回転軸体における当接部材とから構成されている。
【０００８】
本考案の好ましい一実施態様においては、第１の回転規制部が、軸受部に設けられた貫通孔であり、その貫通孔の回転軸体の円周方向における位置と長さは、その貫通孔に当接部材を貫通させて回転軸体に取り付けたときに、撹拌板の回転軸体に対する回転位置を、撹拌板と柄の軸との間の角度が略１８０度となる位置で固定に規制する位置と長さであり、第２の回転規制部が、同じく軸受部に設けられた貫通孔であり、その貫通孔の回転軸体の円周方向における位置と長さは、その貫通孔に当接部材を貫通させて回転軸体に取り付けたときに、撹拌板の回転軸体に対する回転位置を、撹拌板と柄の軸との間の角度が鋭角となる押し込み位置と押し込み位置よりも大きな角度となる撹拌位置との間で回転自在に規制する位置と長さであり、当接部材が、これら第１または第２の貫通孔を貫通して回転軸体に着脱自在に取り付けられ、回転軸体に取り付けられたときに、貫通している第１または第２の貫通孔の内周面のそれぞれと当接する部分を有している。この場合において、第１および第２の貫通孔は切り欠きであっても良く、柄が、軸受部に設けられた第１または第２の貫通孔を貫通して回転軸体に着脱自在に取り付けられる先端を備えているときには、当接部材を兼ねることができる。
【０００９】
さらに、本考案の好ましい一実施態様においては、第１の貫通孔と第２の貫通孔とを互いに連通させる貫通孔であって、当接部材が通過できる大きさの貫通孔が軸受部に設けられている。このような第１および第２の貫通孔を連通させる貫通孔が存在することによって、当接部材を回転軸体から取り外すことなく、第１の貫通孔と第２の貫通孔の間を移動させることができる。
【００１０】
また、本考案の他の実施態様においては、第１の回転規制部が、回転軸体に設けられた凹部であり、その凹部の回転軸体の円周方向における位置と長さは、その凹部に当接部材を係合させたときに、撹拌板の回転軸体に対する回転位置を、撹拌板と柄の軸との間の角度が略１８０度となる位置で固定に規制する位置と長さであり、第２の回転規制部が、同じく回転軸体に設けられた凹部であり、その凹部の回転軸体の円周方向における位置と長さは、その凹部に当接部材を係合させたときに、撹拌板の回転軸体に対する回転位置を、撹拌板と柄の軸との間の角度が鋭角となる押し込み位置と押し込み位置よりも大きな角度となる撹拌位置との間で回転自在に規制する位置と長さであり、当接部材が、回転軸体に向かって進退自在に軸受部に取り付けられ、回転軸体に向かって進行したときに、上記第１および第２の回転規制部である凹部のいずれかと選択的に係合する部分を有している。この場合において、柄が、回転軸体に向かって進退自在に軸受部に取り付けられ、回転軸体に向かって進行したときに、第１および第２の回転規制部である凹部のいずれかと選択的に係合する先端を備えているときには、当接部材を兼ねることができる。
【００１１】
さらに、本考案の好ましい一実施態様においては、押し込み位置における撹拌板と柄の軸との間の角度が０度〜４５度の範囲にあり、撹拌位置における撹拌板と柄の軸との間の角度が６０度〜１２０度の範囲にある。また、撹拌板は、撹拌板と柄の軸との間の角度が略０度の位置にあるときに柄とは反対側となる方向に軸受部よりも突出する突片部を有している。この突片部は、撹拌板よりも軸受部の方向に向かって若干曲折しているのが望ましい。
【考案の効果】
【００１２】
本考案の釣り用餌の撹拌具によれば、撹拌板の回転軸体に対する回転位置を、撹拌板と柄の軸との間の角度が略１８０度となる位置で固定となる固定位置と、撹拌板と柄の軸との間の角度が鋭角となる押し込み位置と押し込み位置よりも大きな角度となる撹拌位置との間で回転自在となる回転自在位置とに、選択的に切り換えて規制する手段を有しているので、冷凍ないしは半解凍状態にあるオキアミなどの釣り用餌を突き崩すときには、撹拌板と柄の軸との間の角度が略１８０度となる位置に撹拌板を固定して、撹拌板の先端部で釣り用餌を突き崩すことができる。一方、突き崩したオキアミなどの釣り用餌と配合餌とを撹拌・混合するときには、撹拌板を、撹拌板と柄の軸との間の角度が押し込み位置と撹拌位置との間で回転自在になるようにすることによって、より少ない労力で十分に撹拌、混合を行うことができるという優れた利点が得られる。
【００１３】
すなわち、本考案の釣り用餌の撹拌具における撹拌板は、混合すべき餌の内部にまで押し込まれるときには、餌からの抵抗によって、自然と、撹拌板と柄の軸との間の角度が鋭角となる押し込み位置まで回転するので、抵抗が少なく僅かな力で、あたかも餌を切るように、混合すべき釣り用餌や配合餌の内部深くにまで押し込むことができるとともに、逆に、餌の内部から引き上げるときには、混合すべき餌からの抵抗によって、自然と、撹拌板と柄の軸との間の角度が押し込み位置よりも大きな角度となる撹拌位置まで回転するので、より少ない労力で効率良く、釣り用餌と配合餌との撹拌・混合を行うことができるものである。したがって、本考案の釣り用餌の撹拌具によれば、冷凍ないしは半解凍状態にあるオキアミなどの釣り用餌の突き崩しを容易に行うことができることは勿論、オキアミなどの釣り用餌と配合餌との撹拌・混合も、少ない労力で容易に行うことができるという優れた利点が得られるものである。
【００１４】
さらに、本考案の釣り用餌の撹拌具における撹拌板が、撹拌板と柄の軸との間の角度が略０度の位置にあるときに柄とは反対側となる方向に軸受部よりも突出する突片部を有している場合には、撹拌板が、混合すべき釣り用餌や配合餌の奥深くにまで押し込まれて容器の底部にまで達すると、上記の突片部が容器底部に当接し、容器底部からの反力によって、撹拌板を、撹拌板と柄の軸との間の角度が大きくなる方向に回転させるので、撹拌板を押し込む動作によって撹拌板を撹拌・混合に有利な撹拌位置に回転させることができ、容器底部から撹拌・混合を行うことができるという優れた利点が得られるものである。
【考案を実施するための最良の形態】
【００１５】
以下、図面を用いて本考案の釣り用餌の撹拌具を詳細に説明するが、本考案が図示のものに限られないことはいうまでもない。
【００１６】
図１は、本考案の釣り用餌の撹拌具の一例を示す正面図であり、図２は、図１の右側面図である。図１および図２において、１は本考案の釣り用餌の撹拌具、２は撹拌板、３は柄、４は回転軸体、５は軸受部、６は当接部材、７は連結板、８ａ、８ｂは、撹拌板２の突片部である。図示の例においては、軸受部５は中空の円筒形状であり、その中空部に回転軸体４を受け入れることによって、回転軸体４を軸心Ｘ−Ｘの回りに回転自在に支承している。軸受部５は撹拌板２に対して固定されているので、軸受部５に回転自在に支承されている回転軸体４は撹拌板２に対して基本的に回転自在である。軸受部５を撹拌板２に取り付ける位置としては、撹拌板２の根元部分に近い、図１における下端部近傍が好ましい。また、回転軸体４の軸心Ｘ−Ｘは、撹拌板２に対して平行であるのが望ましい。図示の例においては、軸受部５は、撹拌板２とは別体に設けられ、撹拌板２に取り付けられているけれども、撹拌板２の下端部の一部を折り曲げて、軸受部５を形成するようにしても良い。
【００１７】
突片部８ａ、８ｂは、撹拌板２の下端部に、軸受部５よりも下側に突出するように設けられており、後述するように、柄３の軸Ｙ−Ｙとの間の角度が略０度の位置にあるときには、柄３とは反対側となる方向に軸受部５よりも突出する突片部である。この突片部８ａ、８ｂは、図２に示すように、撹拌板２よりも、軸受部５の方向に向かって角度βだけ曲折した状態にある。角度βとしては、３０度以下、望ましくは２０度以下、さらに望ましくは１０度以下であり、場合によっては０度でも良い。突片部８ａ、８ｂの機能については後述する。
【００１８】
軸受部５には、貫通孔５ａ、５ｂ、５ｃが設けられており、第１の貫通孔５ａは第１の回転規制部を構成しており、第２の貫通孔５ｂは第２の回転規制部を構成している。当接部材６は、貫通孔５ａまたは５ｂのいずれかを貫通して、回転軸体４に取り付けられる。一方、第３の貫通孔５ｃは柄３のための貫通孔であり、貫通孔５ｃを貫通して、柄３の先端部が回転軸体４に取り付けられている。当接部材６および柄３を回転軸体４に取り付ける手段に特段の制限はない。当接部材６および柄３の先端部に切った雄ネジを回転軸体４に設けられた対応する取り付け孔に切られた雌ネジと螺合させても良いし、他の適宜の手段で取り付けるようにしても良い。ただし、回転軸体４に対する当接部材６および柄３の取り付け位置は固定されている。また、柄３の軸Ｙ−Ｙは、図示のとおり、回転軸体４の軸心Ｘ−Ｘと直交している。なお、図示の例では第１の貫通孔５ａと第２の貫通孔５ｂとは、回転軸体４の円周方向に沿った同一直線状にあるけれども、第１の貫通孔５ａと第２の貫通孔５ｂとは、回転軸体４の軸心Ｘ−Ｘ方向において互いにずれた位置にあっても良い。
【００１９】
連結体７は、柄３と当接部材６とを連結するものであり、柄３と当接部材６とが連結体７を貫通している。当接部材６は、例えばボルトであり、連結体７の当接部材６が貫通する部分の内面に切られたネジと螺合しているので、当接部材６を回転させることによって、当接部材６は連結体７に対して前後に進退可能となっている。この連結体７によって、当接部材６は柄３と一体に連結されており、当接部材６を回転軸体４から取り外した状態でも本考案の釣り用餌の撹拌具から離脱することがなく、紛失の危険性を免れることができるという利点がある。また、連結体７として、図示のような板状のものを用いる場合には、柄３と回転軸体４との結合は、柄３の先端部と、連結体７を介して当接部材６の先端部との２箇所で為されるので、回転軸体４を回転自在に支承している軸受部５に取り付けられた撹拌板２の支持が強固なものとなり、仮に撹拌板２に柄３の軸に対して回転方向の力が加わった場合でも、撹拌板２が無用に回転したりすることが防止できるという利点もある。なお、連結体７は、板状のものに限られず、柄３と当接部材６とを連結することができる限り、例えば、鎖や線状部材等、どのような形態のものであっても良い。また、場合によっては、連結体７は設けなくても良い。
【００２０】
貫通孔５ａ、５ｂ、５ｃと、柄３、当接部材６、並びに回転軸体４の関係を分かりやすく示したのが図３である。図３は、説明の便宜上、軸受部５を軸心方向に沿って切り開いて平面状に展開して示し、転軸体４は、軸受部５の内部から取り出して、軸受部５の右側に示されている。また、図３のＡ−Ａ’断面図を一番右側に示してある。
【００２１】
図３は、図１および図２に示される状態、すなわち、撹拌板２が、撹拌板２と柄３の軸Ｙ−Ｙとの間の角度αが略１８０度になる位置に固定された状態における当接部材６と軸受部５および回転軸体４との関係を示している。この状態では、上述したとおり、当接部材６の先端部は第１の回転規制部である貫通孔５ａを貫通して、回転軸体４に設けられた取り付け孔４ａに取り付けられている。同様に、柄３の先端は、貫通孔５ｃを貫通して、回転軸体４に設けられた取り付け孔４ｂに取り付けられている。貫通孔５ａの大きさは、当接部材６の外形よりも若干大きく、当接部材６を貫通させることは可能であるものの、当接部材６が貫通孔５ａを貫通している状態では、回転軸体４の円周方向には、実質的に移動することができない大きさである。
【００２２】
また、貫通孔５ａの回転軸体４の円周方向における位置は、当接部材６を貫通孔５ａを貫通させて回転軸体４の取り付け孔４ａに取り付けたときに、図３の一番右側の断面図に示すとおり、当接部材６と撹拌板２とが略平行になる位置、すなわち、撹拌板２と柄３の軸Ｙ−Ｙとの間の角度αが、図２に示すように、略１８０度になる位置である。なお、図２においては、撹拌板２と柄３の軸Ｙ−Ｙとは釣り用餌の撹拌具１の構造上同じ平面内に存在しないので、撹拌板２の平面をずらして柄３の軸Ｙ−Ｙと同じ平面内に位置させた状態での、撹拌板２と柄３の軸Ｙ−Ｙとの間の角度αを示している。
【００２３】
このように、第１の回転規制部である貫通孔５ａの回転軸体４の円周方向における位置と長さは、貫通孔５ａに当接部材６を貫通させて回転軸体４に取り付けたときに、撹拌板２の回転軸体４に対する回転位置を、撹拌板２と柄３の軸Ｙ−Ｙとの間の角度αが略１８０度で固定に規制する位置と長さである。上述のとおり、当接部材６と柄３とがそれぞれ回転軸体４の固定された位置に取り付けられるようになっているので、当接部材６の軸受部５に対する回転位置を規制することによって、柄３の軸受部５に対する回転位置を規制することができ、結果として、軸受部５が取り付けられている撹拌板２の柄３に対する回転位置を規制することが可能となるものである。
【００２４】
なお、当接部材６の先端部が第１の回転規制部である貫通孔５ａを貫通して回転軸体４に取り付けられている状態で、撹拌板２と柄３の軸Ｙ−Ｙとの間の角度αは、必ずしも厳密に１８０度である必要はない。後述するとおり、撹拌板２を柄３に対して略平行に固定した状態で、冷凍若しくは半解凍状態にあるオキアミ等の釣り用餌を突き崩すことができれば良いのであって、撹拌板２が柄３の軸Ｙ−Ｙに対して略平行に固定されるときの撹拌板２と柄３の軸Ｙ−Ｙとの間の角度αは略１８０度であれば良く、好ましくは１８０度±１０度、より好ましくは１８０度±５度の範囲内にあれば良い。
【００２５】
図１、図２に示すように、撹拌板２が柄３の軸Ｙ−Ｙに対して略平行、すなわち、撹拌板２と柄３の軸Ｙ−Ｙとの間の角度αが略１８０度となる位置で固定されている状態では、本考案の釣り用餌の撹拌具１は、冷凍若しくは半解凍状態にあるオキアミ等の釣り用餌を突き崩すのに用いることができる。撹拌板２の先端部には、釣り用餌の突き崩しを容易にするために、適宜の歯を設けても良い。
【００２６】
図４および図５は、それぞれ、図１、図２に示したものと同じ釣り用餌の撹拌具１の正面図と右側面図であって、撹拌板２が、撹拌位置にある状態を示した図である。図示の例においては、撹拌位置において、撹拌板２と柄３の軸Ｙ−Ｙとの間の角度αは略９０度となっている。この状態で、撹拌板２は、柄３の軸Ｙ−Ｙに対して、図６に示すとおり、撹拌板２と柄３の軸Ｙ−Ｙとの間の角度が略９０度となる撹拌位置から略０度となる押し込み位置の間で回転自在である。
【００２７】
図１および図２に示した状態から図４〜図６に示す状態への変更は、当接部材６を、回転軸体４の取り付け孔４ａから一旦取り外し、貫通孔５ａからも抜き取って、その状態で、回転軸体４の取り付け孔４ａが貫通孔５ｂと重なる位置まで回転軸体４を軸受部５に対して相対的に回転させ、当接部材６を、貫通孔５ｂを貫通させて回転軸体４の取り付け孔４ａに取り付ければ良い。その状態を示したのが図７および図８である。
【００２８】
図７および図８は、図３と同様に、説明の便宜上、軸受部５を軸心方向に沿って切り開いて平面状に展開して示し、転軸体４を軸受部５の内部から取り出して軸受部５の右側に、また、図７および図８のＡ−Ａ’断面図を一番右側に示したものである。図７および図８に示すとおり、貫通孔５ｂは、回転軸体４の円周方向に沿って角度略９０度分の長さを有しており、当接部材６が貫通孔５ｂの下端と当接する図７に示す位置が、撹拌板２と柄３の軸Ｙ−Ｙとの間の角度αが撹拌位置となる略９０度になる位置であり、当接部材６が貫通孔５ｂの上端と当接する図８に示す位置が、撹拌板２と柄３の軸Ｙ−Ｙとの間の角度が押し込み位置となる略０度になる位置である。このように、第２の回転規制部である貫通孔５ｂの回転軸体４の円周方向における位置と長さは、貫通孔５ｂに当接部材６を貫通させて回転軸体４に取り付けたときに、撹拌板２の回転軸体４に対する回転位置を、撹拌板２と柄３の軸Ｙ−Ｙとの間の角度が略９０度となる撹拌位置から略０度となる押し込み位置との間の範囲で回転自在に規制する位置と長さである。
【００２９】
逆に、図４〜図６に示す状態から図１〜図２に示す状態へと変更するには、当接部材６を回転軸体４から取り外して、貫通孔５ｂから抜き取り、貫通孔５ａを貫通させて回転軸体４に取り付けるようにすれば良い。
【００３０】
以上のとおり、本考案の釣り用餌の撹拌具１においては、当接部材６を貫通孔５ａを貫通させて回転軸体４に取り付けるか、貫通孔５ｂを貫通させて回転軸体４に取り付けるかによって、撹拌板２の回転軸体４に対する回転位置を、撹拌板２と柄３の軸Ｙ−Ｙとの間の角度αが略１８０度となる位置で固定となる固定位置と、撹拌板２と柄３の軸Ｙ−Ｙとの間の角度αが略０度となる押し込み位置と略９０度となる撹拌位置との間で回転自在となる回転自在位置とに、選択的に切り換えて規制することができるものである。なお、柄３の先端部が貫通する貫通孔５ｃは、撹拌板２が柄３の軸に対して、略０度から略１８０度の範囲で回転するのを妨げない範囲にわたって軸受部５の円周方向に沿って設けられている。
【００３１】
なお、押し込み位置における撹拌板２と柄３の軸Ｙ−Ｙとの間の角度αは、本考案の釣り用餌の撹拌具を釣り用餌と配合餌との内部に押し込むときに撹拌板２が多大の抵抗を受ける角度でなければ良く、必ずしも図示の例におけるように略０度である必要はない。押し込み位置における撹拌板２と柄３の軸Ｙ−Ｙとの間の角度αは、通常、９０度よりも小さい鋭角であれば良く、好ましくは０度〜４５度の範囲内にある角度、より好ましくは０度〜３０度の範囲内にある角度から適宜選択した角度とすれば良い。
【００３２】
同様に、撹拌位置における撹拌板２と柄３の軸Ｙ−Ｙとの間の角度αは、本考案の釣り用餌の撹拌具を引き上げる動作で、撹拌板２によって釣り用餌と配合餌とを混合・撹拌することができる角度であれば良く、必ずしも図示の例におけるように略９０度である必要はない。撹拌位置における撹拌板２と柄３の軸Ｙ−Ｙとの間の角度αは、通常、押し込み位置における角度よりも大きい角度であれば良く、好ましくは６０度〜１２０度の範囲内にある角度、より好ましくは８０度〜１００度の範囲内にある角度から適宜選択した角度とすれば良い。
【００３３】
次に図９〜図１３を用いて、本考案の釣り用餌の撹拌具１の使用状態を説明する。図９は、本考案の釣り用餌の撹拌具１が、撹拌板２が柄３の軸Ｙ−Ｙに対して略９０度〜略０度の範囲で回転自在となっている状態を示しており、その状態で、容器９に収容されている混合すべき釣り用餌と配合餌からなる撒き餌材料１０の内部に押し込んで、撹拌・混合を行う当初の状態を示している。すなわち、本考案の釣り用餌の撹拌具１を撹拌板２を下にして保持した場合、撹拌板２は、柄３の軸Ｙ−Ｙに対して押し込み位置と撹拌位置との間で回転自在に規制された状態にあるので、図９に示すとおり、撹拌板２は自重によって柄３の軸Ｙ−Ｙに対して撹拌位置（図示の例では角度αが略９０度のなる位置）にある。この状態から本考案の釣り用餌の撹拌具１を図中下方に押し込むと、軸受部５は撹拌板２の長さ方向において根元部分に偏った下端部近傍に設けられているので、撹拌板２は、撒き餌材料１０から受ける抵抗によって、図中矢印方向に回転する。
【００３４】
図１０は、本考案の釣り用餌の撹拌具１が撒き餌材料１０の内部に押し込まれ、撹拌板２が撒き餌材料１０からの抵抗で柄３の軸Ｙ−Ｙに対して０度方向に向かって回転している状態を示す。このように本考案の釣り用餌の撹拌具１においては、釣り用餌の撹拌具１を撒き餌材料１０内に押し込むと、撹拌板２は、撒き餌材料１０からの抵抗を受けて、自然と、柄３の軸Ｙ−Ｙとの間の角度が小さくなる向きに回転するので、いわば、撒き餌材料１０を切るような感覚で、無理なく、撒き餌材料１０に内部へと進入させることができる。
【００３５】
図１１は、本考案の釣り用餌の撹拌具１が撒き餌材料１０の内部にさらに押し込まれ、その先端部の突片部８ａ、８ｂが容器９の底部と接触した状態を示している。突片部８ａ、８ｂが容器９の底部と接触すると、突片部８ａ、８ｂは、容器９の底部から反力を受け、回転軸体４の回転軸心を中心に図中矢印方向に回転し、その結果、撹拌板２は、これまでとは逆に、柄３の軸Ｙ−Ｙとの間の角度αが大きくなる向きに回転することになる。このとき、突片部８ａ、８ｂが、図示のとおり、撹拌板２よりも若干軸受部５の方向に角度βだけ曲折していると、容器９の底部から受ける反力が、撹拌板２を柄３の軸Ｙ−Ｙとの間の角度αが大きくなる向きに回転させる力はより大きくなり、撹拌板２の回転がよりスムースに行われるという利点がある。
【００３６】
また、本考案の釣り用餌の撹拌具１の先端部の突片部８ａ、８ｂが容器９の底部と接触した状態で、撹拌板２と柄３の軸Ｙ−Ｙとの間の角度αが図１１に示すように０度よりも大きい場合には、突片部８ａ、８ｂが撹拌板２よりも軸受部の方向に曲折していなくても、突片部８ａ、８ｂが容器９の底部から受ける反力は、撹拌板２を柄３の軸Ｙ−Ｙとの間の角度αが大きくなる向きに働くので、突片部８ａ、８ｂが撹拌板２よりも軸受部５の方向に曲折している角度βは０であっても良い。
【００３７】
図１２は、以上のようにして、撹拌板２が柄３の軸Ｙ−Ｙに対し略９０度の位置まで戻った状態を示している。このように、本考案の釣り用餌の撹拌具１においては、釣り用餌の撹拌具１を撒き餌材料１０の内部深くに押し込んで、その先端部を容器９の底部に到達させることによって、撹拌板２が回転して撹拌・混合に有利である柄３の軸Ｙ−Ｙに対して略９０度の位置に戻るので、容器９の底部から撒き餌材料１０を十分に撹拌・混合することが可能となる。撹拌板２が撹拌・混合に有利である柄３の軸Ｙ−Ｙに対して略９０度の位置に戻った状態で、図１３に示すように、本考案の釣り用餌の撹拌具１を上方に引き上げると、撹拌板２は回転自在な角度が押し込み位置と撹拌位置との間の範囲に規制されているので、撹拌板２は、その規制内での最大である略９０度の角度を保ったまま上方に引き上げられ、撒き餌材料１０を十分に撹拌・混合することができる。撹拌位置における撹拌板２の柄３の軸Ｙ−Ｙに対する角度αが１２０度である場合には、撹拌板２は、柄３の軸Ｙ−Ｙに対する角度αが１２０度になるまで回転し、その状態で上方に引き上げられることになる。
【００３８】
以上のとおり、本考案の釣り用餌の撹拌具１によれば、撒き餌材料１０内に押し込むときには、撹拌板２が抵抗のより少ない押し込み位置の方向に回転し、撒き餌材料１０を切るかのような感触で抵抗なく容易に撒き餌材料１０の内部深くにまで押し込むことが可能であり、一方、撒き餌材料１０の内部から引き上げるときには、撹拌板２が撹拌・混合に有利な撹拌位置に回転するので、より少ない労力で、容易に、撒き餌材料１０の撹拌・混合を十分に行うことができるものである。しかも、本考案の釣り用餌の撹拌具１が、撹拌板２に突片部８ａ、８ｂを有している場合には、撹拌板２が容器９の底面に達した状態で、撹拌板２が撹拌・混合に有利な柄３の軸Ｙ−Ｙに対して略９０度の位置に回転するので、容器９の底部から撒き餌材料１０の撹拌・混合を行うことができるという利点も得ることができるものである。
【００３９】
図１４は、本考案の釣り用餌の撹拌具１の他の例を示し、この例においては、柄３が、当接部材６を兼ねており、柄３の先端部を軸受部５に設けられた第１の回転規制部である貫通孔５ａを貫通させて回転軸体４に取り付けることにより、撹拌板２の回転軸体４に対する回転位置を、撹拌板２と柄３の軸Ｙ−Ｙとの間の角度αが略１８０度に固定することができる。また、この状態から柄３を取り外し、回転軸体４を回転させて、柄３の先端部を第２の回転規制部である貫通孔５ｂを貫通させて回転軸体４に取り付けることにより、撹拌板２の回転軸体４に対する回転位置を、撹拌板２と柄３の軸Ｙ−Ｙとの間の角度αが鋭角となる押し込み位置と押し込み位置よりも大きな角度となる撹拌位置との間で回転自在に規制することができる。柄３の先端部を、貫通孔５ａまたは５ｂのいずれかを選択的に貫通させて回転軸体４に取り付ける手段には特段の制限はなく、例えば、回転軸体４に取り付け孔を設け、その孔に切った雌ネジに、柄３の先端に設けた雄ネジを螺合させることによって、柄３を回転軸体４に着脱自在に取り付けることができるようにすれば良い。このように、柄３に当接部材６を兼ねさせることが可能である。
【００４０】
図１５は、本考案の釣り用餌の撹拌具１のさらに他の例を示し、図１４の例と比べると、軸受部５に、第１の貫通孔５ａと第２の貫通孔５ｂとを連通させる第４の貫通孔５ｄが設けられている点、および、柄３の先端部に蝶ネジ１１が設けられている点が異なっている。
【００４１】
第４の貫通孔５ｄが貫通孔５ａと貫通孔５ｂとを連通させている状態は図１６〜図１９を見るとより明かである。図１６〜図１９においては、図３におけると同様に、説明の便宜上、軸受部５は平面状に展開して示されている。図１６に示すとおり、第４の貫通孔５ｄは、第１および第２の貫通孔５ａ、５ｂのそれぞれから回転軸体４の軸心方向にずれた位置で、第１の貫通孔５ａと第２の貫通孔５ｂの上端部とを互いに連通させている。第４の貫通孔５ｄの大きさは、当接部材６を兼ねている柄３の先端部分が通過できる大きさである。
【００４２】
図１６において、当接部材６を兼ねる柄３の先端部分は、貫通孔５ａの部分を貫通して、回転軸体４に取り付けられている。貫通孔５ａは、図３に示した場合と同様に、回転軸体４の円周方向には柄３の先端部分の大きさしかなく、柄３が軸受体５に対して回転するのを妨げており、図１５および図１６の右側に示すとおり、撹拌板２は、柄３の軸Ｙ−Ｙに対して略１８０度に固定されている状態である。
【００４３】
次に、撹拌板２を、撹拌板２と柄３の軸Ｙ−Ｙとの間の角度αが略９０度である撹拌位置と略０度である押し込み位置との間で回転自在な状態に変更するには、図１７〜図１９に示す順序で、柄３を貫通孔５ａから貫通孔５ｂに移動させれば良い。すなわち、図１６に示す状態から、柄３と柄３が取り付けられている回転軸体４とを、図１７に示すように、図中矢印方向に移動させて、第４の貫通孔５ｄの下端部にまで至らせ、続いて、図１８に示すように、第４の貫通孔５ｄの上端部にまで移動させ、最後に、図１９に示すように、第２の貫通孔５ｂにまで移動させれば良い。当接部材６を兼ねている柄３が第２の貫通孔５ｂにまで移動すると、図１９の右側に示すとおり、撹拌板２は、柄３の軸Ｙ−Ｙに対して、撹拌板２と柄３の軸Ｙ−Ｙとの間の角度αが略９０度から略０度の範囲で回転自在な状態となる。なお、撹拌位置における撹拌板２と柄３の軸Ｙ−Ｙとの間の角度αが略９０度に限られず、押し込み位置における角度αよりも大きければ良く、好ましくは６０度〜１２０度、より好ましくは８０度〜１００度の範囲内にある角度から適宜選択されること、また、押し込み位置における撹拌板２と柄３の軸Ｙ−Ｙとの間の角度αが略０度に限られず、鋭角であれば良く、好ましくは０度〜４５度、より好ましくは０度〜３０度の範囲内にある角度から適宜選択されることは上述したとおりである。
【００４４】
このように、本例の釣り用餌の撹拌具１においては、当接部材６を兼ねる柄３を、第４の貫通孔５ｄを介して、第１の貫通孔５ａから第２の貫通孔５ｂへと移動させ、また、逆に、第２の貫通孔５ｂから第１の貫通孔５ａへと移動させることによって、撹拌板２の回転軸体４に対する回転位置を、撹拌板２と柄３の軸Ｙ−Ｙとの間の角度αが略１８０度となる位置で固定となる固定位置と、撹拌板２と柄３の軸Ｙ−Ｙとの間の角度αが鋭角となる押し込み位置と押し込み位置よりも大きな角度となる撹拌位置との間で回転自在となる回転自在位置とに、選択的に切り換えて規制することができるものである。
【００４５】
なお、上記の例において、図１５に示すように、柄３の先端部分の外周にネジを切って蝶ネジ１１を取り付け、柄３の先端部が当接部材６として第１の貫通孔５ａの位置にあるときには、蝶ネジ１１を締めて、柄３を軸受部５に対して締め付けた状態としておくことが有効である。これにより、本考案の釣り用餌の撹拌具１を用いて凍結若しくは半解凍の状態にあるオキアミ等の釣り用餌を突き崩しても、撹拌具２に対して柄３がガタついたり、回転軸体４の軸心方向にずれたりすることが防止される。一方、柄３の先端部を第１の貫通孔５aから第２の貫通孔５ｂへと移動させるときには、蝶ネジ１１を緩めれば良い。柄３の先端部が第２の貫通孔５ｂの位置にあるときには、本考案の釣り用餌の撹拌具１は、通常、柄３を持って下向きに保持されるので、撹拌板２は柄３の軸Ｙ−Ｙに対して略９０度の位置、すなわち、第２の貫通孔５ｂの下端部の位置にあり、蝶ネジ１１が緩んだ状態であっても、柄３が第４の貫通孔５ｄを通って回転軸体４の軸心方向にずれることはない。なお、蝶ネジ１１の代わりに、ナットなどを用いても良いことは勿論である。
【００４６】
図１５〜図１９に示す例においては、第４の貫通孔５ｄは、第１の貫通孔５ａと第２の貫通孔５ｂの上端部とを連通させているけれども、第１の貫通孔５ａと第２の貫通孔５ｂの下端部とを連通させても良く、また、第１の貫通孔５ａと第２の貫通孔５ｂの中央部とを連通させるようにしても良い。
【００４７】
図２０〜図２２は、第１の貫通孔５ａ、第２の貫通孔５ｂ、および第４の貫通孔５ｄの他の例を示している。図２０〜図２２に示すように、第１の貫通孔５ａと第２の貫通孔５ｂとは、回転軸体４の軸心方向にずれた位置にあっても良く、第４の貫通孔５ｄは、適宜の形状で第１の貫通孔５ａと第２の貫通孔５ｂとを連通することができる。柄３の先端部が第１の貫通孔５ａに位置しているときに、柄３の先端部の位置が第１の貫通孔５ａからずれやすい場合には、上述した蝶ネジ１１若しくはそれに代わる手段で、柄３の先端部を貫通孔５ａに位置している状態で、軸受部５に対して締め付けるようにすれば良い。
【００４８】
以上のように、第１および第２の貫通孔５ａ、５ｂとを互いに連通させる第４の貫通孔５ｄを設けることによって、当接部材６を兼ねる柄３を、回転軸体４から取り外すことなく、第１の貫通孔５ａを貫通している状態から、第２の貫通孔５ｂを貫通している状態へと、またその逆へと、容易に切り換えることができるという利点が得られる。
【００４９】
図２３は、第１および第２の回転規制部と、当接部材６とについての他の実施例を示す図である。すなわち、図２３に示す例においては、当接部材６は、ボルトであり、軸受部５の所定位置に形成された雌ネジ部を貫通して軸受部５に取り付けられており、左右いずれかの方向に回転させることによって、回転軸体４に対して進退自在となっている。一方、回転軸体４には、外周方向に沿って、それぞれ第１および第２の回転規制部を構成する第１の凹部１２ａ、および第２の凹部１２ｂが設けられている。
【００５０】
本例においては、当接部材６を回転させてネジ機構により回転軸体４に向かって進行させ、その先端部を第１の回転規制部である凹部１２ａと係合させることによって、撹拌板２の回転軸体４に対する回転位置を、撹拌板２と柄３の軸Ｙ−Ｙとの間の角度αが略１８０度となる位置に固定することができる。また、当接部材６を回転させて回転軸体４から後退させ凹部１２ａとの係合を解き、回転軸体４を回転させた後、回転軸体４に向かって進行させて、その先端部を第２の回転規制部である凹部１２ｂと係合させることによって、撹拌板２を、撹拌板２と柄３の軸Ｙ−Ｙとの間の角度αが鋭角となる押し込み位置と押し込み位置よりも大きな角度となる撹拌位置との間で回転自在に規制することができる。なお、当接部材６を回転軸体４に向かって進退可能に軸受部５に取り付ける手段はネジ機構に限られないけれども、ネジ機構が簡便かつ確実であるので好ましい。また、本例においても、柄３を軸受部５に対して進退自在に取り付けることによって、柄３に当接部材６としての機能を兼ねさせることが可能である。
【００５１】
以上のとおり、本考案の釣り用餌の撹拌具１においては、第１および第２の回転規制部は、軸受部５または回転軸体４のいずれに設けても良く、また、当接部材６は、回転軸体４または軸受部５のいずれに取り付けられても良い。以上、好適な実施例に基づいて本考案を説明したけれども、撹拌板２の回転位置を規制する手段は上述のものに限られず、撹拌板２の回転軸体４に対する回転位置を、撹拌板２と柄３の軸Ｙ−Ｙとの間の角度αが略１８０度となる位置で固定と、撹拌板２と柄の軸Ｙ−Ｙとの間の角度が鋭角となる押し込み位置と押し込み位置よりも大きな角度となる撹拌位置との間で回転自在に規制とに、選択的に切り換えて規制することができるものであれば、どのような機構のものであっても良いことは勿論である。
【産業上の利用可能性】
【００５２】
以上説明したように、本考案の釣り用餌の撹拌具によれば、冷凍若しくは半解凍の状態にあるオキアミ等の釣り用餌を容易に突き崩すことができるだけでなく、突き崩した釣り用餌と配合餌とをより少ない労力で撹拌・混合することができるので、釣りの現場において撒き餌を簡単に製造することができる。このため、本考案の釣り用餌の撹拌具は、釣り愛好家の利便性の向上に資すること実に多大であり、極めて優れた産業上の利用可能性を有する考案である。
【図面の簡単な説明】
【００５３】
【図１】本考案の釣り用餌の撹拌具の一例を示す正面図である。
【図２】図１の右側面図である。
【図３】回転規制部と当接部材との関係を示す図である。
【図４】撹拌板が略９０度の角度にある状態を示す正面図である。
【図５】図３の右側面図である。
【図６】撹拌板の回転自在な範囲を示す側面図である。
【図７】回転規制部と当接部材との関係を示す図である。
【図８】回転規制部と当接部材との関係を示す図である。
【図９】本考案の釣り用餌の撹拌具の使用状態を示す説明図である。
【図１０】本考案の釣り用餌の撹拌具の使用状態を示す説明図である。
【図１１】本考案の釣り用餌の撹拌具の使用状態を示す説明図である。
【図１２】本考案の釣り用餌の撹拌具の使用状態を示す説明図である。
【図１３】本考案の釣り用餌の撹拌具の使用状態を示す説明図である。
【図１４】本考案の釣り用餌の撹拌具の他の例を示す正面図である。
【図１５】本考案の釣り用餌の撹拌具のさらに他の例を示す正面図である。
【図１６】当接部材である柄が第４の貫通孔を介して第１の貫通孔から第２の貫通孔へと移動する様子を示す図である。
【図１７】当接部材である柄が第４の貫通孔を介して第１の貫通孔から第２の貫通孔へと移動する様子を示す図である。
【図１８】当接部材である柄が第４の貫通孔を介して第１の貫通孔から第２の貫通孔へと移動する様子を示す図である。
【図１９】当接部材である柄が第４の貫通孔を介して第１の貫通孔から第２の貫通孔へと移動する様子を示す図である。
【図２０】第１および第２の貫通孔と第４の貫通孔の他の例を示す図である。
【図２１】第１および第２の貫通孔と第４の貫通孔の他の例を示す図である。
【図２２】第１および第２の貫通孔と第４の貫通孔の他の例を示す図である。
【図２３】回転規制部と当接部材との関係の他の例を示す図である。
【符号の説明】
【００５４】
１          釣り用餌の撹拌具
２          撹拌板
３          柄
４          回転軸体
５          軸受部
５ａ        第１の貫通孔
５ｂ        第２の貫通孔
５ｄ        第４の貫通孔
６          当接部材
７          連結体
８ａ、８ｂ    突片部
９          容器
１０        撒き餌材料
１１        蝶ネジ
１２ａ、１２ｂ    第１、第２の凹部
Ｘ−Ｘ      回転軸体の軸心
Ｙ−Ｙ      柄の軸
α          撹拌板と柄の軸との間の角度
β          突片部の曲折角度
【図１】
0003130479.tif 000003
【図２】
0003130479.tif 000004
【図３】
0003130479.tif 000005
【図４】
0003130479.tif 000006
【図５】
0003130479.tif 000007
【図６】
0003130479.tif 000008
【図７】
0003130479.tif 000009
【図８】
0003130479.tif 000010
【図９】
0003130479.tif 000011
【図１０】
0003130479.tif 000012
【図１１】
0003130479.tif 000013
【図１２】
0003130479.tif 000014
【図１３】
0003130479.tif 000015
【図１４】
0003130479.tif 000016
【図１５】
0003130479.tif 000017
【図１６】
0003130479.tif 000018
【図１７】
0003130479.tif 000019
【図１８】
0003130479.tif 000020
【図１９】
0003130479.tif 000021
【図２０】
0003130479.tif 000022
【図２１】
0003130479.tif 000023
【図２２】
0003130479.tif 000024
【図２３】
0003130479.tif 000025